(57)【特許請求の範囲】
【請求項１】
下記一般式（１）
【化１】
0005785900.tif 000009
［式中、Ｒ１は炭素数１０〜１６の直鎖状の炭化水素基を表す。ｍは（ＣＨ２ＣＨ２Ｏ）の繰り返し数を表し、ｍの平均値が０．５〜１．５である。Ｍ＋は対イオンである。］
で表される陰イオン界面活性剤（ａ）と、
アルカノイルアミドアルキルアミンオキシド（ｂ１）と、
アルキルアミンオキシド（ｂ２）とを含有し、
前記（ａ）成分は、前記一般式（１）におけるｍ＝０の化合物（ａ０）を該（ａ）成分全体に対して３５〜５５質量％含有し、
（ｂ１）成分／（ｂ２）成分で表される質量比が２〜１０であり、
（ａ０）成分／［（ｂ１）成分＋（ｂ２）成分］で表される質量比が０．２〜１．５であり、かつ、
水で１５０倍に希釈した際の２５℃におけるｐＨが６〜８である台所用液体洗浄剤。
【発明の詳細な説明】
【技術分野】
【０００１】
本発明は、台所用液体洗浄剤に関する。
【背景技術】
【０００２】
台所用の液体洗浄剤においては、食器類又は調理用具等に付着した油汚れに対して高い洗浄力と泡立ち性が求められる。
従来、台所用の液体洗浄剤には、主洗浄成分としてポリオキシアルキレンアルキルエーテル硫酸塩と、泡立ち性等の観点からアミンオキシド型界面活性剤とが併用されている。
ポリオキシアルキレンアルキルエーテル硫酸塩は、合成アルコールにアルキレンオキシドを付加して硫酸化することにより製造される。合成アルコールは、製造方法の関係上、分岐鎖状アルキル基を有するアルコールをアルコール全体の２０質量％以上含有する、又は、主成分として２級アルコール由来の誘導体を含有する。該合成アルコールを原料としたポリオキシアルキレンアルキルエーテル硫酸塩は、水と混合した際にゲル化を起こしにくい、保存安定性が良好である等の理由から汎用されている。
【０００３】
近年、二酸化炭素の排出削減量の数値目標が掲げられる等、地球環境に配慮した製品開発が求められている。そのなか、カーボンニュートラルの考え方から、洗剤原料として天然油脂原料由来の直鎖状アルキル基を有するアルコール（天然アルコール）が用いられるようになってきている。たとえば家庭用洗浄剤においては、天然アルコールを原料としたポリオキシエチレンアルキルエーテル硫酸塩（ＡＥＳ）が用いられている。
ポリオキシエチレンアルキルエーテル硫酸塩は、エチレンオキシド（ＥＯ）の付加モル数が少ないＥＯ付加体を多く含有するほど、油汚れ等に対する洗浄力が高いこと、が知られている。天然アルコールを原料としたＡＥＳは、特にＥＯの平均付加モル数が１モル又は２モルの場合、ＥＯの付加していないアルキル硫酸塩（ＡＳ）がＡＥＳ全体に対して約２０質量％以上存在する。しかし、ＡＳ（ＥＯの０モル付加体）が多く存在するＡＥＳを含有する液体洗浄剤は、油汚れ等に対する洗浄力に優れるものの、特に低温条件での保存において析出を生じやすいという問題がある。
【０００４】
これに対して、特許文献１には、天然アルコールを原料としたポリオキシアルキレンアルキルエーテル硫酸塩と、アミンオキシド型界面活性剤とを含有する液体洗浄剤が開示されている。この特許文献１の発明では、最初にプロピレンオキシド（ＰＯ）を天然アルコールに少量付加することで未反応のアルコールを低減させ、その後にＥＯを付加することにより製造されたポリオキシアルキレンアルキルエーテル硫酸塩を用いることで、低温安定性の向上が図られている。
【先行技術文献】
【特許文献】
【０００５】
【特許文献１】特開２００９−２１５３５３号公報
【発明の概要】
【発明が解決しようとする課題】
【０００６】
ところで、台所用の液体洗浄剤を、食器等だけでなく、野菜や果物も洗うために用いることを望む使用者もいる。野菜や果物が洗える台所用の液体洗浄剤は、食品衛生法によって、水で１５０倍に希釈した際の２５℃におけるｐＨが６〜８（中性）であること、が規定されている。この液性を満たすには、液体洗浄剤の原液のｐＨを低く設定する必要がある。
天然アルコールを原料としたＡＥＳとアミンオキシド型界面活性剤とを併用した従来の液体洗浄剤において、液体洗浄剤（原液）のｐＨを低く設定した場合、食器等をスポンジで擦り洗いしている間に泡量が減りやすい等、泡の持続性に劣るという問題がある。ＰＯが付加したポリオキシアルキレンアルキルエーテル硫酸塩を用いた場合でも、泡が立ちにくく、泡の持続性が不充分である。
また、ＰＯを付加せず、ＡＳの含有割合の高いＡＥＳを含有する液体洗浄剤を用いた場合、洗浄時にヌルツキやすく、特に、ゴム手袋を使用して洗浄を行う場合にはこのヌルツキが強く感じられて滑りやすくなる。
本発明は、上記事情に鑑みてなされたものであり、油汚れに対する洗浄力が高く、泡の持続性に優れ、かつ、洗浄時のヌルツキが抑制され、野菜や果物も洗える台所用液体洗浄剤を提供することを課題とする。
【課題を解決するための手段】
【０００７】
天然アルコールを原料としたポリオキシアルキレンアルキルエーテル硫酸塩（ＡＥＳ）には、エチレンオキシド（ＥＯ）の平均付加モル数が１モル又は２モルのように低い場合、ＥＯの付加していないアルキル硫酸塩（ＡＳ：ＥＯの０モル付加体）が多く存在する。このＡＳは油汚れに対する洗浄力の高い成分であるが、ＡＳの存在によって洗浄時にヌルツキが感じられ、洗浄中に食器等が滑りやすくなってしまう。本発明者らは、従来のように、ＡＥＳ中に存在するＡＳ量を、プロピレンオキシド（ＰＯ）の付加等によって減らすのではなく、ＡＳを減量せずにそのまま有効に利用する方法について検討した。
一方、アミンオキシド型界面活性剤を含有する液体洗浄剤は、希釈するとｐＨが高くなる性質を有している。このため、野菜や果物が洗える液体洗浄剤の液性についての規定を満たすには、原液のｐＨを低く設定する必要がある。かかる場合、ＡＥＳとアミンオキシド型界面活性剤とは相互作用が強まり、特に低温安定性の確保が難しくなる。低温安定性の向上を図るにはハイドロトロープ剤の配合が有効であるが、ハイドロトロープ剤の配合により泡の持続性が低下しやすくなる。
本発明者らは検討により、２種のアミンオキシドを特定の割合で併用すること、及び、ＡＥＳ中に存在するＡＳと２種のアミンオキシドとを特定の割合で混合することによって前記課題を解決できることを見出し、本発明を完成するに至った。
【０００８】
すなわち、本発明の台所用液体洗浄剤は、下記一般式（１）で表される陰イオン界面活性剤（ａ）と、アルカノイルアミドアルキルアミンオキシド（ｂ１）と、アルキルアミンオキシド（ｂ２）とを含有し、前記（ａ）成分は、下記一般式（１）におけるｍ＝０の化合物（ａ０）を該（ａ）成分全体に対して３５〜５５質量％含有し、（ｂ１）成分／（ｂ２）成分で表される質量比が２〜１０であり、（ａ０）成分／［（ｂ１）成分＋（ｂ２）成分］で表される質量比が０．２〜１．５であり、かつ、水で１５０倍に希釈した際の２５℃におけるｐＨが６〜８であることを特徴とする。
【０００９】
【化１】
0005785900.tif 000002
［式中、Ｒ１は炭素数１０〜１６の直鎖状の炭化水素基を表す。ｍは（ＣＨ２ＣＨ２Ｏ）の繰り返し数を表し、ｍの平均値が０．５〜１．５である。Ｍ＋は対イオンである。］
【発明の効果】
【００１０】
本発明によれば、油汚れに対する洗浄力が高く、泡の持続性に優れ、かつ、洗浄時のヌルツキが抑制され、野菜や果物も洗える台所用液体洗浄剤を提供することができる。
【発明を実施するための形態】
【００１１】
本発明に係る液体洗浄剤は、水で１５０倍に希釈した際の２５℃におけるｐＨが６〜８であること（食品衛生法の規定）により、食器類、調理用具等に加えて、野菜や果物も洗うことができる、いわゆる台所用液体洗浄剤である。
ここで、該液体洗浄剤の希釈液のｐＨは次の手順に従って測定される。すなわち、新たに煮沸したイオン交換水を用いて、試料（液体洗浄剤）を質量基準で１５０倍に希釈することにより希釈溶液（液体洗浄剤濃度０．６７質量％の水溶液）を調製する。その後、該希釈溶液を２５℃に調整し、そのｐＨを測定する。
該希釈溶液（２５℃に調温）のｐＨは、ｐＨメータ（製品名：ホリバＦ−２２、（株）堀場製作所製）を用い、ＪＩＳ  Ｋ３３６２−１９９８に準拠した方法により測定される値を示す。
【００１２】
本発明の台所用液体洗浄剤の原液のｐＨは、水で１５０倍に希釈した際の２５℃におけるｐＨが６〜８となるように調整され、好ましくは６〜７であり、より好ましくは６．２〜６．８である。
原液の２５℃におけるｐＨが好ましい下限値未満であると、洗浄時のヌルツキ抑制の効果が得られにくくなる。また、特に低温条件での保存安定性が悪くなるおそれがある。一方、ｐＨが好ましい上限値を超えると、油汚れに対する洗浄力が低下するおそれがある。
台所用液体洗浄剤の原液（２５℃に調温）のｐＨの測定方法は、前述した該希釈溶液（２５℃に調温）のｐＨの測定方法と同様である。
【００１３】
本発明の台所用液体洗浄剤は、一般式（１）で表される陰イオン界面活性剤（ａ）と、アルカノイルアミドアルキルアミンオキシド（ｂ１）と、アルキルアミンオキシド（ｂ２）とを含有する。以下、これらの成分をそれぞれ（ａ）成分、（ｂ１）成分、（ｂ２）成分ともいう。
【００１４】
＜一般式（１）で表される陰イオン界面活性剤（ａ）＞
本発明の台所用液体洗浄剤においては、下記一般式（１）で表される陰イオン界面活性剤（ａ）が用いられる。
【００１５】
【化２】
0005785900.tif 000003
［式中、Ｒ１は炭素数１０〜１６の直鎖状の炭化水素基を表す。ｍは（ＣＨ２ＣＨ２Ｏ）の繰り返し数を表し、ｍの平均値が０．５〜１．５である。Ｍ＋は対イオンである。］
【００１６】
前記式（１）中、Ｒ１は炭素数１０〜１６の直鎖状の炭化水素基を表す。
Ｒ１の炭素数は１０〜１６であり、好ましくは炭素数１０〜１４であり、より好ましくは炭素数１２〜１４である。Ｒ１における炭化水素基としては、アルキル基、アルケニル基が挙げられ、アルキル基が好ましい。
Ｒ１としては、油汚れに対する洗浄力及び環境面から、天然油脂原料由来の直鎖状のアルキル基であることが好ましい。好適な天然油脂原料としては、パーム核油、ヤシ油等が挙げられる。
【００１７】
前記式（１）中、ｍは（ＣＨ２ＣＨ２Ｏ）の繰り返し数を表す。
ｍの平均値は０．５〜１．５の数である。ｍが０．５未満では、洗浄時のヌルツキ抑制の効果が得られにくい。また、低温条件（−５℃以下）での保存安定性が低下しやすくなる。ｍが１．５を超えると、油汚れに対する洗浄力が低下しやすくなる。
ここでの「ｍの平均値」は加重平均値を意味する。
【００１８】
（ａ）成分は、前記式（１）におけるｍ＝０の化合物（ａ０）（（ａ０）成分）を、該（ａ）成分全体に対して３５〜５５質量％含有するもの、すなわち、（ａ）成分中、前記式（１）におけるｍ＝０の化合物（ａ０）（（ａ０）成分）が３５〜５５質量％のものである。（ａ）成分は、（ａ０）成分を該（ａ）成分全体に対して、好ましくは４０〜５０質量％含有する。
（ａ）成分全体に対して（ａ０）成分が３５質量％未満では、油汚れに対する洗浄力が低下しやすくなる。（ａ０）成分が５５質量％を超えると、洗浄時のヌルツキ抑制の効果が得られにくい。また、低温条件での保存安定性が低下しやすくなる。
尚、（ａ）成分は、前記式（１）におけるｍの平均値が０．５〜１．５となる分布を有する、（ＣＨ２ＣＨ２Ｏ）の繰り返し数が異なる分子の混合物である。
ｍの分布は、好ましくは０〜２０であり、より好ましくは０〜１６であり、特に好ましくは０〜１２である。
ｍの平均値、（ａ０）成分量は、たとえばガスクロマトグラフ質量分析計を用いて測定することができる。
【００１９】
前記式（１）中、Ｍ＋は対イオンである。
該対イオンとなるＭとしては、Ｒ１−Ｏ−（ＣＨ２ＣＨ２Ｏ）ｍ−ＳＯ３−とともに水溶性の塩を形成し得るものが挙げられ、具体的には、アルカリ金属、アルカリ土類金属、アンモニウム、アルカノールアミン等が挙げられる。
アルカリ金属としては、ナトリウム、カリウム等が挙げられる。アルカリ土類金属としては、カルシウム、マグネシウム等が挙げられる。アルカノールアミンとしては、モノエタノールアミン、ジエタノールアミン、トリエタノールアミン等が挙げられる。
Ｍが２価の陽イオンである場合、（Ｒ１−Ｏ−（ＣＨ２ＣＨ２Ｏ）ｍ−ＳＯ３−）２とともに水溶性の塩を形成し得る。
【００２０】
（ａ）成分として具体的には、ポリオキシエチレン（０．５）直鎖アルキル（Ｃ１２）硫酸ナトリウム塩、ポリオキシエチレン（１）直鎖アルキル（Ｃ１２）硫酸ナトリウム塩、ポリオキシエチレン（１．５）直鎖アルキル（Ｃ１２）硫酸ナトリウム塩、ポリオキシエチレン（０．５）直鎖アルキル（Ｃ１２／１４＝７５／２５；天然油脂原料由来）硫酸ナトリウム塩、ポリオキシエチレン（１）直鎖アルキル（Ｃ１２／１４＝７５／２５；天然油脂原料由来）硫酸ナトリウム塩、ポリオキシエチレン（１．５）直鎖アルキル（Ｃ１２／１４＝７５／２５；天然油脂原料由来）硫酸ナトリウム塩、ポリオキシエチレン（１）直鎖アルキル（Ｃ１２／１４＝７５／２５；天然油脂原料由来）硫酸トリエタノールアミン塩などであって、それぞれ（ａ０）成分を該（ａ）成分全体に対して３５〜５５質量％含有するものが挙げられる。
なかでも、本発明の効果が特に得られやすいことから、ポリオキシエチレン（１）直鎖アルキル（Ｃ１２／１４＝７５／２５；天然油脂原料由来）硫酸ナトリウム塩が好ましい。
ここで、たとえば「ポリオキシエチレン（０．５）」とは、前記式（１）におけるｍの平均値が０．５であることを意味する。
「直鎖アルキル（Ｃ１２）」とは、前記式（１）におけるＲ１が炭素数１２の直鎖状のアルキル基であることを意味する。
「直鎖アルキル（Ｃ１２／１４＝７５／２５；天然油脂原料由来）」とは、前記式（１）におけるＲ１が炭素数１２の直鎖状のアルキル基であるものと、炭素数１４の直鎖状のアルキル基であるものとの混合物（混合比率：質量比で７５／２５）であること、天然油脂原料由来の直鎖状のアルキル基であることを意味する。
【００２１】
（ａ）成分は、１種単独で用いてもよく、２種以上を適宜組み合わせて用いてもよい。
台所用液体洗浄剤中、（ａ）成分の含有量は、該台所用液体洗浄剤の総質量に対して３〜２０質量％であることが好ましく、より好ましくは５〜１６質量％である。
（ａ）成分の含有量が好ましい下限値未満であると、油汚れに対する洗浄力が低下しやすくなる。一方、好ましい上限値を超えると、洗浄時のヌルツキ抑制の効果が得られにくい。また、油汚れに対する洗浄力が低下しやすくなる。
【００２２】
台所用液体洗浄剤中、（ａ０）成分の含有量は、該台所用液体洗浄剤の総質量に対して０．５〜９質量％であることが好ましく、より好ましくは２〜６質量％である。
（ａ０）成分の含有量が好ましい下限値未満であると、油汚れに対する洗浄力が低下しやすくなる。一方、好ましい上限値を超えると、洗浄時のヌルツキ抑制の効果が得られにくい。加えて、低温条件での保存安定性が低下するおそれがある。
【００２３】
＜アルカノイルアミドアルキルアミンオキシド（ｂ１）＞
アルカノイルアミドアルキルアミンオキシド（ｂ１）としては、下記一般式（２）で表される化合物が好適なものとして挙げられる。
【００２４】
【化３】
0005785900.tif 000004
［式中、Ｒ２は炭素数８〜１８の直鎖状若しくは分岐鎖状のアルキル基又はアルケニル基を表す。Ｒ３及びＲ４はそれぞれ独立して炭素数１〜３のアルキル基又はヒドロキシアルキル基を表す。Ｒ５は炭素数１〜４のアルキレン基を表す。］
【００２５】
前記式（２）中、Ｒ２は、炭素数８〜１８の直鎖状若しくは分岐鎖状のアルキル基、又は炭素数８〜１８の直鎖状若しくは分岐鎖状のアルケニル基を表し、炭素数８〜１８の直鎖状若しくは分岐鎖状のアルキル基が好ましく、炭素数８〜１８の直鎖状のアルキル基がより好ましい。
Ｒ２のアルキル基、アルケニル基において、炭素数は８〜１８であり、油汚れに対する洗浄力がより向上することから、１０〜１４であることが好ましい。
【００２６】
前記式（２）中、Ｒ３及びＲ４は、それぞれ独立して、炭素数１〜３のアルキル基、又は炭素数１〜３のヒドロキシアルキル基を表し、炭素数１〜３のアルキル基が好ましく、メチル基がより好ましく、Ｒ３及びＲ４はいずれもメチル基であることがさらに好ましい。
前記式（２）中、Ｒ５は、炭素数１〜４のアルキレン基を表し、炭素数３のアルキレン基が好ましい。
【００２７】
（ｂ１）成分として具体的には、デカン酸アミドプロピルジメチルアミンオキシド、ラウリン酸アミドプロピルジメチルアミンオキシド、ミリスチン酸アミドプロピルジメチルアミンオキシド、パルミチン酸アミドプロピルジメチルアミンオキシド等が挙げられる。
なかでも、低温安定性及び泡の持続性が特に向上することから、ラウリン酸アミドプロピルジメチルアミンオキシドがより好ましい。
【００２８】
（ｂ１）成分は、１種単独で用いてもよく、２種以上を適宜組み合わせて用いてもよい。
台所用液体洗浄剤中、（ｂ１）成分の含有量は、該台所用液体洗浄剤の総質量に対して１．５〜１０質量％であることが好ましく、より好ましくは２〜５質量％である。
（ｂ１）成分の含有量が好ましい下限値以上であると、低温条件での保存安定性がより向上する。また、泡の持続性もより向上する。一方、好ましい上限値以下であれば、油汚れに対する洗浄力がより高まる。
【００２９】
＜アルキルアミンオキシド（ｂ２）＞
アルキルアミンオキシド（ｂ２）としては、下記一般式（３）で表される化合物が好適なものとして挙げられる。
【００３０】
【化４】
0005785900.tif 000005
［式中、Ｒ６は炭素数８〜１８の直鎖状若しくは分岐鎖状のアルキル基又はアルケニル基を表す。Ｒ７及びＲ８はそれぞれ独立して炭素数１〜３のアルキル基又はヒドロキシアルキル基を表す。］
【００３１】
前記式（３）中、Ｒ６は、炭素数８〜１８の直鎖状若しくは分岐鎖状のアルキル基、又は炭素数８〜１８の直鎖状若しくは分岐鎖状のアルケニル基を表し、炭素数８〜１８の直鎖状若しくは分岐鎖状のアルキル基が好ましく、炭素数８〜１８の直鎖状のアルキル基がより好ましい。
Ｒ６のアルキル基、アルケニル基において、炭素数は８〜１８であり、油汚れに対する洗浄力がより向上することから、１０〜１４であることが好ましい。
【００３２】
前記式（３）中、Ｒ７及びＲ８は、それぞれ独立して、炭素数１〜３のアルキル基、又は炭素数１〜３のヒドロキシアルキル基を表し、炭素数１〜３のアルキル基が好ましく、メチル基がより好ましく、Ｒ７及びＲ８はいずれもメチル基であることがさらに好ましい。
【００３３】
（ｂ２）成分として具体的には、ラウリルジメチルアミンオキシド、ヤシアルキルジメチルアミンオキシド、ラウリルジエチルアミンオキシド等が挙げられる。
なかでも、油汚れに対する洗浄力が特に良好であることから、ラウリルジメチルアミンオキシドがより好ましい。
【００３４】
（ｂ２）成分は、１種単独で用いてもよく、２種以上を適宜組み合わせて用いてもよい。
台所用液体洗浄剤中、（ｂ２）成分の含有量は、該台所用液体洗浄剤の総質量に対して０．３〜２質量％であることが好ましく、より好ましくは０．５〜１質量％である。
（ｂ２）成分の含有量が好ましい下限値以上であると、油汚れに対する洗浄力がより高まる。一方、好ましい上限値以下であれば、低温条件での保存安定性がより向上する。
【００３５】
また、台所用液体洗浄剤中、（ｂ１）成分と（ｂ２）成分との合計の含有量は、該台所用液体洗浄剤の総質量に対して２〜１２質量％であることが好ましく、より好ましくは４．５〜１０質量％である。
（ｂ１）成分と（ｂ２）成分との合計の含有量が好ましい下限値未満であると、油汚れに対する洗浄力が低下しやすくなる。また、洗浄時のヌルツキ抑制の効果が得られにくい。一方、好ましい上限値を超えると、油汚れに対する洗浄力が低下しやすくなる。
【００３６】
本発明において「（ｂ１）成分／（ｂ２）成分で表される質量比」とは、台所用液体洗浄剤中の（ｂ２）成分の含有量に対する、（ｂ１）成分の含有量の割合（質量比）を表す。
（ｂ１）成分と（ｂ２）成分との混合比率は、（ｂ１）成分／（ｂ２）成分で表される質量比が２〜１０であり、４〜９であることが好ましい。
当該質量比が２以上であると、低温条件での保存安定性がより向上する。また、泡の持続性もより向上する。一方、当該質量比が１０以下であると、油汚れに対する洗浄力がより高まる。また、泡の持続性がより向上する。
【００３７】
本発明において「（ａ０）成分／［（ｂ１）成分＋（ｂ２）成分］で表される質量比」とは、台所用液体洗浄剤中の（ｂ１）成分と（ｂ２）成分との合計の含有量の含有量に対する、（ａ０）成分の含有量の割合（質量比）を表す。
（ａ）成分と（ｂ１）成分と（ｂ２）成分とは、（ａ０）成分／［（ｂ１）成分＋（ｂ２）成分］で表される質量比が０．２〜１．５となるように、好ましくは０．３〜０．９となるように混合される。
当該質量比が０．２以上であると、油汚れに対する洗浄力がより高まる。また、泡の持続性がより向上する。一方、当該質量比が１．５以下であれば、洗浄時のヌルツキ抑制の効果が得られやすくなる。また、油汚れに対する洗浄力がより高まる。さらに、泡の持続性がより向上する。
当該質量比が０．２〜１．５であることにより、油汚れに対する洗浄力に優れる。加えて、洗浄時のヌルツキが抑制され、特にゴム手袋を使用して食器等を洗浄した際のヌルツキが充分に抑制される。
【００３８】
＜溶媒：水＞
本発明の台所用液体洗浄剤は、液体洗浄剤の調製しやすさ、使用する際の水への溶解性等の観点から、溶媒として水を含有することが好ましい。
台所用液体洗浄剤中の水の含有量は、該台所用液体洗浄剤の総質量に対して４０〜９０質量％が好ましく、４５〜８５質量％がより好ましく、５０〜８０質量％がさらに好ましい。
水の含有量が好ましい下限値以上であると、経時に伴う液体洗浄剤の液安定性がより良好となり、好ましい上限値以下であれば、液粘度が適度に低くなり、使用性の観点から良好となる。
【００３９】
＜その他の成分＞
本発明の台所用液体洗浄剤には、本発明の効果を損なわない範囲で必要に応じて、上述した成分以外のその他の成分を任意に配合してもよい。
その他の成分としては、特に限定されず、台所用、硬表面用又は衣料用等の洗浄剤に用いられている成分を配合することができ、ハイドロトロープ剤；水酸化ナトリウム、硫酸、グリコール酸等のｐＨ調整剤；（ａ）成分、（ｂ１）成分及び（ｂ２）成分以外の界面活性剤、キレート剤、酸化防止剤、着色剤、香料などが挙げられる。
【００４０】
（ハイドロトロープ剤）
本発明の台所用液体洗浄剤は、ハイドロトロープ剤（以下「（ｃ）成分」という）をさらに含有することが好ましい。（ｃ）成分をさらに含有することにより、特に低温条件での保存安定性が向上する。
（ｃ）成分としては、水混和性有機溶媒；トルエンスルホン酸、トルエンスルホン酸塩、クメンスルホン酸、クメンスルホン酸塩、安息香酸、安息香酸塩などが好適なものとして挙げられる。
「水混和性有機溶媒」とは、２５℃のイオン交換水１Ｌに５０ｇ以上溶解する有機溶媒をいう。水混和性有機溶媒は、該台所用液体洗浄剤の溶媒としても用いることができる。
水混和性有機溶媒としては、水と混合した際に均一な溶液となるものであればよく、エタノール、１−プロパノール、２−プロパノール、１−ブタノール等の一価アルコール；エチレングリコール、プロピレングリコール、ブチレングリコール、グリセリン等の多価アルコール等が挙げられる。
なかでも、（ｃ）成分としては、トルエンスルホン酸、トルエンスルホン酸塩、クメンスルホン酸、クメンスルホン酸塩、安息香酸、安息香酸塩及びエタノールからなる群より選択される１種以上が好ましく、トルエンスルホン酸、トルエンスルホン酸塩、クメンスルホン酸、クメンスルホン酸塩及びエタノールからなる群より選択される１種以上がより好ましく、トルエンスルホン酸及び／又はトルエンスルホン酸塩とエタノールとの組合せ、クメンスルホン酸及び／又はクメンスルホン酸塩とエタノールとの組合せが特に好ましい。
（ｃ）成分は、１種単独で用いてもよく、２種以上を適宜組み合わせて用いてもよい。
台所用液体洗浄剤中、（ｃ）成分の含有量は、該台所用液体洗浄剤の総質量に対して５〜１２質量％であることが好ましく、より好ましくは７〜１１質量％である。
（ｃ）成分の含有量が好ましい下限値以上であると、低温条件での保存安定性が向上する。一方、好ましい上限値以下であると、油汚れに対する洗浄力がより高まる。
【００４１】
以上説明したように、本発明の台所用液体洗浄剤は、一般式（１）で表されるポリオキシエチレンアルキルエーテル硫酸塩（ａ）と、アルカノイルアミドアルキルアミンオキシド（ｂ１）と、アルキルアミンオキシド（ｂ２）とを含有する。加えて、エチレンオキシド（ＥＯ）の付加していないアルキル硫酸塩（ａ０）を（ａ）成分全体に対して３５〜５５質量％含有することにより、主として油汚れに対する洗浄力に優れる。また、（ａ）成分と（ｂ１）成分と（ｂ２）成分とを特定の混合比率（（ａ０）成分／［（ｂ１）成分＋（ｂ２）成分］で表される質量比０．２〜１．５）で含有することにより、主として洗浄時のヌルツキが抑制され、特にゴム手袋を使用して食器等を洗浄した際のヌルツキが充分に抑制される。さらに、（ｂ１）成分と（ｂ２）成分とを特定の混合比率（（ｂ１）成分／（ｂ２）成分で表される質量比２〜１０）で含有することにより、主として泡の持続性に優れる。
加えて、本発明の台所用液体洗浄剤は、水で１５０倍に希釈した際の２５℃におけるｐＨが６〜８であることにより、野菜や果物も洗うことができる、食器・野菜用としても好適な中性洗剤である。
【００４２】
さらに、本発明において、天然アルコールを原料としたポリオキシエチレンアルキルエーテル硫酸塩を活用することにより、二酸化炭素の排出削減に貢献し得る。
また、天然アルコールを原料としてポリオキシアルキレンアルキルエーテル硫酸塩を製造する際、従来のように、最初にプロピレンオキシド（ＰＯ）を天然アルコールに少量付加させる操作を行う必要がないため、工業的に簡便で、かつ、コスト低減が図れる。
【実施例】
【００４３】
以下に実施例を用いて本発明をさらに詳しく説明するが、本発明はこれら実施例に限定されるものではない。
【００４４】
＜液体洗浄剤の調製＞
表に示す配合組成に従って、以下に示す製造方法（未配合の成分がある場合、その成分は配合しない。）により、各例の液体洗浄剤をそれぞれ調製した。
表中の配合量の単位は「質量％」であり、いずれの成分も純分換算量を示す。
なお、各例の液体洗浄剤は、表に記載の各成分の合計が１００質量％となるように水でバランスして調製した。
【００４５】
［液体洗浄剤の製造方法］
まず、２００ｍＬビーカーに、（ａ）成分又は（ａ’）成分と、（ｂ１）成分と、（ｂ２）成分と、（ｃ）成分とを入れ、マグネチックスターラにより撹拌した。次いで、全体量（全体量を１００質量部とする。）が９３質量部になるように水を入れて撹拌した。その後、グリコール酸と４０質量％水酸化ナトリウム溶液とを加えてｐＨを調整し、全体量が１００質量部になるように残りの水を加えてバランスし、各例の液体洗浄剤をそれぞれ製造した。
なお、水の配合量を示す「バランス」は、液体洗浄剤に含まれる全配合成分の合計の配合量（質量％）が１００質量％となるように加えられた残部を意味する。
ｐＨ調整剤の配合量を示す「適量」は、ｐＨ調整剤として用いたグリコール酸と水酸化Ｎａとの合計の配合量を示す。ｐＨ調整は、グリコール酸（液体洗浄剤の総質量に対して１．０質量％）を配合した後、液体洗浄剤（原液）の２５℃におけるｐＨが表に示すｐＨ値となるように水酸化Ｎａを配合した。
液体洗浄剤（原液）のｐＨは、２５℃に調整した液体洗浄剤（原液）を、ガラス電極式ｐＨメータ（製品名：ホリバＦ−２２、（株）堀場製作所製）を用いて測定した。測定方法は、ＪＩＳ  Ｋ３３６２−１９９８に準拠して行った。
【００４６】
［液体洗浄剤の希釈溶液のｐＨ測定］
各例の液体洗浄剤を水で１５０倍に希釈した際の２５℃におけるｐＨを以下のようにして測定した。
イオン交換水を新たに煮沸し、この新たに煮沸したイオン交換水を用いて、試料（液体洗浄剤）を質量基準で１５０倍に希釈して希釈溶液（液体洗浄剤濃度０．６７質量％の水溶液）を調製した。その後、該希釈溶液を２５℃に調整し、そのｐＨを、前述した原液のｐＨの測定方法と同様にして測定した。
【００４７】
表中、「組成物中の（ａ０）成分の含有量（質量％）」は、液体洗浄剤に含まれている、一般式（１）におけるｍ＝０の化合物（（ａ０）成分）の量を意味する。
「（ａ）成分中の（ａ０）成分の含有量（質量％）」は、（ａ）成分全体に含まれている、一般式（１）におけるｍ＝０の化合物（（ａ０）成分）の割合（質量比）を意味する。
「質量比（ａ０）／［（ｂ１）＋（ｂ２）］」は、液体洗浄剤中の（ｂ１）成分と（ｂ２）成分との合計の含有量に対する、（ａ０）成分の含有量の割合（質量比）を意味する。
「質量比（ｂ１）／（ｂ２）」は、液体洗浄剤中の（ｂ２）成分の含有量に対する、（ｂ１）成分の含有量の割合（質量比）を意味する。
以下に、表中に示した成分について説明する。
【００４８】
・（ａ）成分
ａ−１：ポリオキシエチレンアルキルエーテル硫酸ナトリウム、一般式（１）におけるＲ１＝炭素数１２〜１４の直鎖状のアルキル基、ｍの平均値＝１．０、Ｍ＝ナトリウム；ａ−１全体に対するｍ＝０の化合物（（ａ０）成分）の割合４３質量％。
［ａ−１の調製例］
容量４Ｌのオートクレーブ中に、原料アルコールとしてＰ＆Ｇ社製の商品名ＣＯ１２７０アルコール（炭素数１２のアルコールと炭素数１４のアルコールとの質量比７５／２５の混合物）４００ｇと、反応用触媒として水酸化カリウム触媒０．８ｇとを仕込み、該オートクレーブ内を窒素で置換した後、攪拌しながら昇温した。続いて、温度を１８０℃、圧力を０．３ＭＰａ以下に維持しながらエチレンオキシド９１ｇを導入し、反応させることによりアルコールエトキシレートを得た。
ガスクロマトグラフ質量分析計：Ｈｅｗｌｅｔｔ−Ｐａｃｋａｒｄ社製のＧＣ−５８９０と、検出器：水素炎イオン化型検出器（ＦＩＤ）と、カラム：Ｕｌｔｒａ−１（ＨＰ社製、Ｌ２５ｍ×φ０．２ｍｍ×Ｔ０．１１μｍ）とを用いて分析した結果、得られたアルコールエトキシレートは、エチレンオキシドの平均付加モル数が１．０であった。また、エチレンオキシドが付加していない化合物（最終的に（ａ０）成分となるもの）の量が、得られたアルコールエトキシレート全体に対して４３質量％であった。
次に、上記で得たアルコールエトキシレート２３７ｇを、攪拌装置付の５００ｍＬフラスコに採り、窒素で置換した後、液体無水硫酸（サルファン）９６ｇを、反応温度４０℃に保ちながらゆっくりと滴下した。滴下終了後、１時間攪拌を続け（硫酸化反応）、ポリオキシエチレンアルキルエーテル硫酸を得た。次いで、これを水酸化ナトリウム水溶液で中和することによりａ−１を得た。
【００４９】
ａ−２：ポリオキシエチレンアルキルエーテル硫酸ナトリウム、一般式（１）におけるＲ１＝炭素数１２〜１４の直鎖状のアルキル基、ｍの平均値＝１．２、Ｍ＝ナトリウム；ａ−２全体に対するｍ＝０の化合物（（ａ０）成分）の割合４２質量％。
［ａ−２の調製例］
エチレンオキシド１０９ｇを導入した以外はａ−１と同様にしてアルコールエトキシレートを得た。得られたアルコールエトキシレートは、エチレンオキシドの平均付加モル数が１．２であった。また、エチレンオキシドが付加していない化合物（最終的に（ａ０）成分となるもの）の量が、得られたアルコールエトキシレート全体に対して４２質量％であった。次に、液体無水硫酸（サルファン）９３ｇを滴下した以外はａ−１と同様にして硫酸化反応を行い、水酸化ナトリウム水溶液で中和することによりａ−２を得た。
【００５０】
ａ−３：ポリオキシエチレンアルキルエーテル硫酸ナトリウム（ＮＲＥＳ）、一般式（１）におけるＲ１＝炭素数１２〜１４の直鎖状のアルキル基、ｍの平均値＝０．６、Ｍ＝ナトリウム；ａ−３全体に対するｍ＝０の化合物（（ａ０）成分）の割合４８質量％。
［ａ−３の調製例］
硝酸マグネシウム６水和物６８．０３ｇと、硝酸アルミニウム９水和物４７．６９ｇと、硝酸マンガン６水和物２４．４３ｇとを、脱イオン水４５０ｇに溶解して溶液ａを調製した。これとは別に、炭酸ナトリウム１３．４７ｇを脱イオン水４５０ｇに溶解して溶液ｂを調製した。
溶液ａと溶液ｂとを、予め脱イオン水１８００ｇを仕込んだ触媒調製槽に、ＮａＯＨ水溶液でｐＨ＝９、温度を４５℃に保ちながら４５分間で滴下した。１時間熟成した後、母液をろ別し、分離した沈殿を６リットルの脱イオン水で洗浄し、噴霧乾燥することにより複合金属水酸化物３０ｇを得た。
この複合金属水酸化物を、窒素雰囲気下、８００℃で焼成することにより、酸化マグネシウムを主成分とする複合金属酸化物触媒１９ｇを得た。
次に、容量４Ｌのオートクレーブ中に、原料アルコールとしてＰ＆Ｇ社製の商品名ＣＯ１２７０アルコール（炭素数１２のアルコールと炭素数１４のアルコールとの質量比７５／２５の混合物）４００ｇと、エチレンオキシド５５ｇと、反応用触媒として前記複合金属酸化物触媒０．３ｇとを仕込み、該オートクレーブ内を窒素で置換した後、攪拌しながら昇温した。続いて、温度を１８０℃、圧力を０．５ＭＰａ以下に維持しながらエチレンオキシド８７ｇを導入し、反応させることによりアルコールエトキシレートを得た。
ａ−１と同様にして分析した結果、得られたアルコールエトキシレートは、エチレンオキシドの平均付加モル数が０．６であった。また、エチレンオキシドが付加していない化合物（最終的に（ａ０）成分となるもの）の量が、得られたアルコールエトキシレート全体に対して４８質量％であった。
次に、上記で得たアルコールエトキシレート２１９ｇを、攪拌装置付の５００ｍＬフラスコに採り、窒素で置換した後、液体無水硫酸（サルファン）９６ｇを、反応温度４０℃に保ちながらゆっくりと滴下した。滴下終了後、１時間攪拌を続け（硫酸化反応）、ポリオキシエチレンアルキルエーテル硫酸を得た。次いで、これを水酸化ナトリウム水溶液で中和することによりａ−３を得た。
【００５１】
ａ−４：ポリオキシエチレンアルキルエーテル硫酸ナトリウム、一般式（１）におけるＲ１＝炭素数１２〜１４の直鎖状のアルキル基、ｍの平均値＝１．４、Ｍ＝ナトリウム；ａ−４全体に対するｍ＝０の化合物（（ａ０）成分）の割合４０質量％。
［ａ−４の調製例］
エチレンオキシド１２８ｇを導入した以外はａ−１と同様にしてアルコールエトキシレートを得た。得られたアルコールエトキシレートは、エチレンオキシドの平均付加モル数が１．４であった。また、エチレンオキシドが付加していない化合物（最終的に（ａ０）成分となるもの）の量が、得られたアルコールエトキシレート全体に対して４０質量％であった。次に、液体無水硫酸（サルファン）８９ｇを滴下した以外はａ−１と同様にして硫酸化反応を行い、水酸化ナトリウム水溶液で中和することによりａ−４を得た。
【００５２】
ａ−５：ポリオキシエチレンアルキルエーテル硫酸ナトリウム（ＮＲＥＳ）、一般式（１）におけるＲ１＝炭素数１２〜１４の直鎖状のアルキル基、ｍの平均値＝１．０、Ｍ＝ナトリウム；ａ−５全体に対するｍ＝０の化合物（（ａ０）成分）の割合３５質量％。
［ａ−５の調製例］
エチレンオキシド９１ｇを導入した以外はａ−３と同様にしてアルコールエトキシレートを得た。得られたアルコールエトキシレートは、エチレンオキシドの平均付加モル数が１．０であった。また、エチレンオキシドが付加していない化合物（最終的に（ａ０）成分となるもの）の量が、得られたアルコールエトキシレート全体に対して３５質量％であった。次に、液体無水硫酸（サルファン）８９ｇを滴下した以外はａ−３と同様にして硫酸化反応を行い、水酸化ナトリウム水溶液で中和することによりポリオキシエチレンアルキルエーテル硫酸ナトリウム（ａ−５）を得た。
【００５３】
ａ−６：ポリオキシエチレンアルキルエーテル硫酸ナトリウム、一般式（１）におけるＲ１＝炭素数１２〜１４の直鎖状のアルキル基、ｍの平均値＝１．１、Ｍ＝ナトリウム；ａ−６全体に対するｍ＝０の化合物（（ａ０）成分）の割合５０質量％。
［ａ−６の調製例］
後述のａ’−２とａ’−３とを、質量比ａ’−２／ａ’−３＝６９／３１で混ぜ合わせることによりａ−６を得た。
【００５４】
ａ−７：ポリオキシエチレンアルキルエーテル硫酸ナトリウム、一般式（１）におけるＲ１＝炭素数１２〜１４の直鎖状のアルキル基、ｍの平均値＝１．０、Ｍ＝ナトリウム；ａ−７全体に対するｍ＝０の化合物（（ａ０）成分）の割合５５質量％。
［ａ−７の調製例］
後述のａ’−２とａ’−３とを、質量比ａ’−２／ａ’−３＝６３／３７で混ぜ合わせることによりａ−７を得た。
【００５５】
・（ａ）成分の比較成分［以下「（ａ’）成分」と表す。］
ａ’−１：ポリオキシエチレンアルキルエーテル硫酸ナトリウム、一般式（１）におけるＲ１＝炭素数１２〜１４の直鎖状のアルキル基、ｍの平均値＝０．３、Ｍ＝ナトリウム；ａ’−１全体に対するｍ＝０の化合物（（ａ０）成分）の割合７６質量％。
［ａ’−１の調製例］
エチレンオキシド２７ｇを導入した以外はａ−１と同様にしてアルコールエトキシレートを得た。得られたアルコールエトキシレートは、エチレンオキシドの平均付加モル数が０．３であった。また、エチレンオキシドが付加していない化合物（最終的に（ａ０）成分となるもの）の量が、得られたアルコールエトキシレート全体に対して７６質量％であった。次に、液体無水硫酸（サルファン）１１０ｇを滴下した以外はａ−１と同様にして硫酸化反応を行い、水酸化ナトリウム水溶液で中和することによりａ’−１を得た。
【００５６】
ａ’−２：ポリオキシエチレンアルキルエーテル硫酸ナトリウム、一般式（１）におけるＲ１＝炭素数１２〜１４の直鎖状のアルキル基、ｍの平均値＝１．８、Ｍ＝ナトリウム；ａ’−２全体に対するｍ＝０の化合物（（ａ０）成分）の割合２７質量％。
［ａ’−２の調製例］
エチレンオキシド１６４ｇを導入した以外はａ−１と同様にしてアルコールエトキシレートを得た。得られたアルコールエトキシレートは、エチレンオキシドの平均付加モル数が１．８であった。また、エチレンオキシドが付加していない化合物（最終的に（ａ０）成分となるもの）の量が、得られたアルコールエトキシレート全体に対して２７質量％であった。次に、液体無水硫酸（サルファン）８４ｇを滴下した以外はａ−１と同様にして硫酸化反応を行い、水酸化ナトリウム水溶液で中和することによりａ’−２を得た。
【００５７】
ａ’−３：アルキルエーテル硫酸ナトリウム、一般式（１）におけるＲ１＝炭素数１２〜１４の直鎖状のアルキル基、ｍ＝０、Ｍ＝ナトリウム；ａ’−３全体に対するｍ＝０の化合物（（ａ０）成分）の割合１００質量％。
［ａ’−３の調製例］
原料アルコールとしてＰ＆Ｇ社製の商品名ＣＯ１２７０アルコール（炭素数１２のアルコールと炭素数１４のアルコールとの質量比７５／２５の混合物）２３７ｇを、攪拌装置付の５００ｍＬフラスコに採り、窒素で置換した後、液体無水硫酸（サルファン）１１８ｇを、反応温度４０℃に保ちながらゆっくりと滴下した。滴下終了後、１時間攪拌を続け（硫酸化反応）、アルキルエーテル硫酸を得た。次いで、これを水酸化ナトリウム水溶液で中和することによりａ’−３（最終的に（ａ０）成分のみ）を得た。
【００５８】
ａ’−４：ポリオキシエチレンアルキルエーテル硫酸ナトリウム、一般式（１）におけるＲ１＝炭素数１２〜１４の直鎖状のアルキル基、ｍの平均値＝１．２、Ｍ＝ナトリウム；ａ’−４全体に対するｍ＝０の化合物（（ａ０）成分）の割合２８質量％。
［ａ’−４の調製例］
エチレンオキシド１０９ｇを導入した以外はａ−３と同様にしてアルコールエトキシレートを得た。得られたアルコールエトキシレートは、エチレンオキシドの平均付加モル数が１．２であった。また、エチレンオキシドが付加していない化合物（最終的に（ａ０）成分となるもの）の量が、得られたアルコールエトキシレート全体に対して２８質量％であった。次に、液体無水硫酸（サルファン）９３ｇを滴下した以外はａ−３と同様にして硫酸化反応を行い、水酸化ナトリウム水溶液で中和することによりポリオキシエチレンアルキルエーテル硫酸ナトリウム（ａ’−４）を得た。
【００５９】
ａ’−５：ポリオキシエチレンアルキルエーテル硫酸ナトリウム、一般式（１）におけるＲ１＝炭素数１２〜１４の直鎖状のアルキル基、ｍの平均値＝０．８、Ｍ＝ナトリウム；ａ’−５全体に対するｍ＝０の化合物（（ａ０）成分）の割合６０質量％。
［ａ’−５の調製例］
前記のａ’−２とａ’−３とを、質量比ａ’−２／ａ’−３＝５４／４６で混ぜ合わせることによりａ’−５を得た。
【００６０】
・（ｂ１）成分
ｂ１−１：ＡＰＡＸ、ラウリン酸アミドプロピルジメチルアミンオキシド（ライオン・アクゾ株式会社製、商品名「アロモックスＡＰＡ−１２Ｗ」）。
【００６１】
・（ｂ２）成分
ｂ２−１：ＡＸ、Ｃ１２アルキルジメチルアミンオキシド（ライオン・アクゾ株式会社製、商品名「アロモックスＤＭ１２Ｄ−Ｗ」）。
【００６２】
・（ｃ）成分
ｃ−１：エタノール（純正化学株式会社製、試薬特級）。
ｃ−２：ｐ−トルエンスルホン酸（協和発酵ケミカル株式会社製）。
【００６３】
ｐＨ調整剤としてグリコール酸と水酸化Ｎａとを用いた。
グリコール酸：デュポン社製、商品名「グリピュア７０」。
水酸化Ｎａ：水酸化ナトリウム、日本曹達株式会社製。
水：水道水。
【００６４】
＜液体洗浄剤の評価＞
各例の液体洗浄剤について、以下に示す評価方法によって各評価を行い、その結果を表に併記した。
【００６５】
［油汚れに対する洗浄力の評価］
牛脂１ｇを、縦１０ｃｍ×横１５ｃｍ×高さ５ｃｍのタッパ容器内面の全面に均一になるように塗布して汚垢モデルとした。
次いで、縦１１．５ｃｍ×横７．５ｃｍ×高さ３ｃｍの食器洗い用スポンジ（住友スリーエム（株）製、商品名：スコッチブライト）に、２５℃水道水３８ｇと液体洗浄剤２ｇとを採り、数回手で揉んだ後、上記汚垢モデルを家庭で通常行われる方法と同様にして洗浄した。
次いで、２５℃の水道水でよくすすいだ後、タッパ容器内面の牛脂が塗布されていた部位を手で触ったときの触感について評価した。
かかる評価は下記の評価基準に従って行い、油汚れに対する洗浄力の評価とした。
（評価基準）
◎：タッパ容器のいずれの部位を触っても、油による皮膜がなく、油の残留によるぬるつきが全く感じられなかった。
○：タッパ容器内側の底面及び側面を触ると、油による皮膜がなく、油の残留によるぬるつきは感じられないが、タッパ容器内側の角の部位に僅かにぬるつきが残っていた。
△：タッパ容器内側の底面を触ると、油による皮膜がなく、油の残留によるぬるつきは感じられないが、タッパ容器内側の側面や角の部位にぬるつきが残っていた。
×：タッパ容器全体にぬるつきが感じられ、明らかに油が残留していることがわかった。
【００６６】
［ゴム手袋使用時のヌルツキ性の評価］
モデル油汚垢としてオリーブ油１ｇと水５ｇとの混合物を用い、該モデル油汚垢６ｇを一面に塗布した皿（直径２１ｃｍ）をモデル油汚垢皿とし、このモデル油汚垢皿を３枚用意した。
そして、縦１１．５ｃｍ×横７．５ｃｍ×高さ３ｃｍの食器洗い用スポンジ（住友スリーエム（株）製、商品名：スコッチブライト）に、２５℃水道水３８ｇと液体洗浄剤２ｇとをそれぞれ採り、ゴム手袋（ショーワグローブ（株）製、商品名：ショウワの手袋）をはめた状態で３回揉んだ後、該食器洗い用スポンジをモデル油汚垢皿と接触させ、モデル油汚垢と食器洗い用スポンジとを馴染ませた。その後、食器洗い用スポンジをモデル油汚垢皿に押さえつけた状態で円を２周描くように動かして擦り洗いを行った。
そして、食器洗い用スポンジには水道水と液体洗浄剤を新たに注ぎ足すことなく、連続してモデル油汚垢皿を擦り洗い続け、３枚目のモデル油汚垢皿の擦り洗い時に感じられるヌルツキを、下記の評価基準に従って評価した。○以上の評価（○、◎、◎◎）であったものを、ヌルツキのなさが良好であると判定した。
（評価基準）
◎◎：ヌルツキが全く感じられない。
◎：ヌルツキがほとんど感じられない。
○：ヌルツキが少し感じられるが、かなり軽減されている。
△：ヌルツキが強く感じられる。
×：かなり強くヌルツキが感じられる。
【００６７】
［泡の持続性の評価］
縦１１．５ｃｍ×横７．５ｃｍ×高さ３ｃｍの食器洗い用スポンジ（住友スリーエム（株）製、商品名：スコッチブライト）に、２５℃水道水３８ｇと液体洗浄剤２ｇとをそれぞれ採り、３回手で揉んだ。その後、当該スポンジで、オリーブ油１ｇ及び水５ｇを載せた陶器皿（φ＝２３ｃｍ）を、スポンジを陶器皿に押さえつけながら、その陶器皿表面に円を２周描くように動かして擦り洗いを連続して行った。そして、泡を確認できなくなった時点を終点とし、当該終点までに洗い終えた陶器皿の枚数を求め、下記評価基準（○以上が合格範囲）に従って泡の持続性を評価した。
（評価基準）
◎：陶器皿の枚数が２４枚以上。
○：陶器皿の枚数が２２〜２３枚。
△：陶器皿の枚数が２０〜２１枚。
×：陶器皿の枚数が１９枚以下。
【００６８】
［低温安定性の評価］
液体洗浄剤１００ｍＬを、直径５０ｍｍ、高さ１００ｍｍの円筒ガラス瓶に充填し、フタを閉めて密封した。この状態で、−５℃（低温条件）の恒温槽内で１ヶ月間保存した後の液体洗浄剤の外観を、目視により観察し、下記評価基準に従って、液体洗浄剤の低温安定性について評価した。
（評価基準）
◎：１ヶ月間保存後、均一透明であった。
○：１ヶ月間保存後、析出物がわずかに認められるものの、その析出している量が、円筒ガラス瓶の容積全体の１容積％未満であった。
△：１ヶ月間保存後、析出物が認められ、その析出している量が、円筒ガラス瓶の容積全体の１容積％以上、１０容積％未満であった。
×：１ヶ月間保存後、析出物が認められ、その析出している量が、円筒ガラス瓶の容積全体の１０容積％以上であった。
【００６９】
なお、本発明を適用した実施例の液体洗浄剤は、いずれも室温条件（２５℃）下で１ヶ月間保存後の外観は均一透明であった。
【００７０】
【表１】
0005785900.tif 000006
【００７１】
【表２】
0005785900.tif 000007
【００７２】
【表３】
0005785900.tif 000008
【００７３】
表１〜３に示す結果から、本発明を適用した実施例１〜２２の液体洗浄剤はいずれも、油汚れに対する洗浄力が高く、泡の持続性に優れ、かつ、洗浄時のヌルツキが抑制されていることが分かる。
また、実施例１〜２２の液体洗浄剤はいずれも、水で１５０倍に希釈した際の２５℃におけるｐＨが６〜８であることから、食品衛生法で規定される、野菜や果物も洗うことができる中性洗剤である。